【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
用紙としてのロール紙およびカット紙を共通の搬送路により搬送し、該用紙に記録を行う画像記録装置であって、
ロール紙用の搬送処理を行うロール紙モードとカット紙用の搬送処理を行うカット紙モードとのいずれかをユーザに選択させるモード選択手段と、
ロール紙のロール部分の回転量を測定する回転測定手段と、
用紙の搬送中に前記回転測定手段で測定された前記回転量に基づいて、前記用紙がロール紙か否かを判定する判定手段と、
前記判定手段による判定結果が前記モード選択手段で選択されたモードに対応していないときに、前記用紙の搬送を中断する搬送中断手段と、
前記搬送中断手段による用紙の搬送の中断の後に、前記判定手段による判定結果に対応したモードに切り替えて該用紙の搬送を再開するか否かをユーザに選択させる搬送再開選択手段と、を有する画像記録装置。
【請求項２】
前記カット紙モード中に前記搬送中断手段によって搬送が中断された後に、前記搬送再開選択手段によるユーザの選択に基づいて前記ロール紙モードに切り替えて用紙の搬送を再開する請求項１に記載の画像記録装置。
【請求項３】
前記ロール紙モードに切り替えて用紙の搬送が再開された後に、ロール紙と判定された前記用紙の蛇行を補正する処理を行うリカバリ用ロール紙給紙処理手段を有する、請求項２に記載の画像記録装置。
【請求項４】
前記ロール紙モード中に前記搬送中断手段によって中断された用紙の搬送を、前記カット紙モードに切り替えて再開する請求項１から３のいずれか１項に記載の画像記録装置。
【請求項５】
前記ロール紙モードでの用紙の搬送中に該用紙の蛇行を補正する蛇行補正手段をさらに有し、
前記蛇行補正手段による用紙の蛇行の補正の直後に、前記判定手段が動作するように制御されている、請求項１から４のいずれか１項に記載の画像記録装置。
【請求項６】
前記回転測定手段および前記判定手段は、用紙の搬送が開始されたときから、該用紙が記録の開始に備えた記録待機位置に達するまでの間に動作するように制御されている、請求項１から５のいずれか１項に記載の画像記録装置。
【請求項７】
前記回転測定手段および前記判定手段は、用紙への記録中または記録後にも動作するように制御されている、請求項６に記載の画像記録装置。
【請求項８】
前記回転測定手段は、前記ロール紙のロール部分の前記回転量とともに回転方向を測定し、
前記判定手段は、前記回転測定手段によって測定された前記回転方向が前記ロール紙の巻き出し方向と一致し、かつ前記回転量が所定のしきい値を超えたときに、搬送中の前記用紙がロール紙であると判定する、請求項１から７のいずれか１項に記載の画像記録装置。
【請求項９】
用紙としてのロール紙およびカット紙を共通の搬送路により搬送し、該用紙に記録を行う画像記録装置の制御方法であって、
ロール紙用の搬送処理を行うロール紙モードとカット紙用の搬送処理を行うカット紙モードとのいずれかをユーザに選択させるモード選択工程と、
用紙の搬送中にロール紙のロール部分の回転量を測定する回転測定工程と、
前記回転測定工程で測定された前記回転量に基づいて、前記用紙がロール紙か否か判定する判定工程と、
前記判定工程における判定結果が前記モード選択工程で選択されたモードに対応していないときに前記用紙の搬送を中断する搬送中断工程と、
前記搬送中断工程による用紙の搬送の中断の後に、前記判定工程における判定結果に対応したモードに切り替えて該用紙の搬送を再開するか否かをユーザに選択させる搬送再開選択工程と、を有する、画像記録装置の制御方法。
【請求項１０】
前記カット紙モード中に前記搬送中断工程によって搬送が中断された後に、前記搬送再開選択工程におけるユーザの選択に基づいて前記ロール紙モードに切り替えて用紙の搬送を再開する搬送再開工程を有する請求項９に記載の画像記録装置の制御方法。
【請求項１１】
前記搬送再開工程により用紙の搬送が再開された後に、ロール紙と判定された前記用紙の蛇行を補正する処理を含むリカバリ用ロール紙給紙処理を行う、請求項１０に記載の画像記録装置の制御方法。
【請求項１２】
前記用紙の搬送を再開しないことが選択されたときに、ロール紙を保持するロール紙保持手段を回転して該ロール紙を巻き戻す、請求項９に記載の画像記録装置の制御方法。
【請求項１３】
前記ロール紙モード中に前記搬送中断工程によって中断された用紙の搬送を、前記カット紙モードに切り替えて再開する工程を有する、請求項９から１２のいずれか１項に記載の画像記録装置の制御方法。
【請求項１４】
前記ロール紙モードでの用紙の搬送中に該用紙の蛇行を補正する蛇行補正工程をさらに有し、
前記蛇行補正工程の直後に、前記回転測定工程および前記判定工程を実施する、請求項９から１３のいずれか１項に記載の画像記録装置の制御方法。
【請求項１５】
前記回転測定工程および前記判定工程は、用紙の搬送の開始から、該用紙が記録の開始に備えた記録待機位置に達するまでの間に行われる、請求項９から１４のいずれか１項に記載の画像記録装置の制御方法。
【請求項１６】
前記回転測定工程および前記判定工程は、用紙への記録中または記録後にも行われる、請求項１５に記載の画像記録装置の制御方法。
【請求項１７】
前記回転測定工程では、前記ロール紙のロール部分の回転量とともに回転方向を測定し、
前記判定工程では、前記回転測定工程によって測定された前記回転方向が前記ロール紙の巻き出し方向と一致し、かつ前記回転量が所定のしきい値を超えたときに、搬送中の前記用紙がロール紙であると判定する、請求項９から１６のいずれか１項に記載の画像記録装置の制御方法。
【請求項１８】
請求項９から１７のいずれか１項に記載の画像記録装置の制御方法をコンピュータにより実行させるプログラム。
【請求項１９】
請求項１８に記載のプログラムを格納し、コンピュータで読み取り可能な記憶媒体。
【手続補正２】
【補正対象書類名】明細書
【補正対象項目名】００１２
【補正方法】変更
【補正の内容】
【００１２】
本発明に係る画像記録装置は、用紙としてのロール紙およびカット紙を共通の搬送路により搬送し、該用紙に記録を行う画像記録装置に関し、ロール紙用の搬送処理を行うロール紙モードとカット紙用の搬送処理を行うカット紙モードとのいずれかをユーザに選択させるモード選択手段と、ロール紙のロール部分の回転量を測定する回転測定手段と、用紙の搬送中に前記回転測定手段で測定された前記回転量に基づいて、前記用紙がロール紙か否かを判定する判定手段と、前記判定手段による判定結果が前記モード選択手段で選択されたモードに対応していないときに、前記用紙の搬送を中断する搬送中断手段と、前記搬送中断手段による用紙の搬送の中断の後に、前記判定手段による判定結果に対応したモードに切り替えて該用紙の搬送を再開するか否かをユーザに選択させる搬送再開選択手段と、を有する。
【手続補正３】
【補正対象書類名】明細書
【補正対象項目名】００１３
【補正方法】変更
【補正の内容】
【００１３】
また、本発明の画像記録装置の制御方法は、用紙としてのロール紙およびカット紙を共通の搬送路により搬送し、該用紙に記録を行う画像記録装置の制御方法に関し、ロール紙用の搬送処理を行うロール紙モードとカット紙用の搬送処理を行うカット紙モードとのいずれかをユーザに選択させるモード選択工程と、用紙の搬送中にロール紙のロール部分の回転量を測定する回転測定工程と、前記回転測定工程で測定された前記回転量に基づいて、前記用紙がロール紙か否か判定する判定工程と、前記判定工程における判定結果が前記モード選択工程で選択されたモードに対応していないときに前記用紙の搬送を中断する搬送中断工程と、前記搬送中断工程による用紙の搬送の中断の後に、前記判定工程における判定結果に対応したモードに切り替えて該用紙の搬送を再開するか否かをユーザに選択させる搬送再開選択工程と、を有する。